(57)【特許請求の範囲】
【請求項１】
少なくとも１台の空気調和機を含む一つの熱源で、建物内の複数の空間を空調するための空調システムであって、
前記空間のうちの少なくとも一つの空間には、第１吹出口と第２吹出口とが少なくとも設けられており、
前記第１吹出口には、前記熱源で空調された空気に外気を混合させた換気・空調空気を前記空間側へ送る第１流路が接続されており、
前記第２吹出口には、前記熱源で空調された空気を、外気と混合させることなく、前記空間側に送る第２流路が接続されており、
前記空気調和機は、前記空間の空気が供給される吸気部と、前記空調された空気を排気する排気部とを含み、
前記吸気部と前記排気部との間を連通、又は、遮断可能な遮蔽部を有することを特徴とする空調システム。
【請求項２】
少なくとも１台の空気調和機を含む一つの熱源で、建物内の複数の空間を空調するための空調システムであって、
前記空間のうちの少なくとも一つの空間には、第１吹出口と第２吹出口とが少なくとも設けられており、
前記第１吹出口には、前記熱源で空調された空気に外気を混合させた換気・空調空気を前記空間側へ送る第１流路が接続されており、
前記第２吹出口には、前記熱源で空調された空気に、前記第１流路よりも小さい割合で外気を混合した換気・空調空気を前記空間側に送る第２流路が接続されており、
前記空気調和機は、前記空間の空気が供給される吸気部と、前記空調された空気を排気する排気部とを含み、
前記吸気部と前記排気部との間を連通、又は、遮断可能な遮蔽部を有することを特徴とする空調システム。
【請求項３】
前記第１流路は、第１チャンバーと、前記第１チャンバーと前記第１吹出口との間を連通する第１ダクトとを含み、
前記第１チャンバーは、前記熱源で空調された空気を導入するための第１空調空気導入口と、前記外気を導入するための第１外気導入口と、前記第１チャンバー内で混合された前記換気・空調空気を排出するための第１排出口とを有する請求項１又は２記載の空調システム。
【請求項４】
前記第１流路は、前記第１チャンバーの上流側に、前記空気調和機が収納されているメインチャンバーを含み、
前記メインチャンバーは、前記空気調和機に前記空間のいずれかの室内空気を供給するための内気導入口と、前記空気調和機で調節された空気を前記第１チャンバーの前記第１空調空気導入口へと供給する排気口とを有する請求項３記載の空調システム。
【請求項５】
前記メインチャンバーの前記排気口と、前記第１チャンバーの前記第１空調空気導入口との間には、前記第１チャンバーと前記メインチャンバーとを連通又は遮断するための開閉装置が設けられている請求項３記載の空調システム。
【請求項６】
前記第２流路は、第２チャンバーと、前記第２チャンバーと前記第２吹出口との間を連通する第２ダクトとを含み、
前記第２チャンバーは、前記熱源で空調された空気を内部に導入するための第２空調空気導入口と、前記第２チャンバー内に導入された空調空気を排出するための第２排出口とを有する請求項１記載の空調システム。
【請求項７】
前記第２流路は、第２チャンバーと、前記第２チャンバーと前記第２吹出口との間を連通する第２ダクトとを含み、
前記第２チャンバーは、前記熱源で空調された空気を内部に導入するための第２空調空気導入口と、前記外気を導入するための第２外気導入口と、前記第２チャンバー内で混合された換気・空調空気を排出するための第２排出口とを有する請求項２記載の空調システム。
【発明の詳細な説明】
【技術分野】
【０００１】
本発明は、少なくとも１台の空気調和機を含む一つの熱源で、建物内の複数の空間を空調するための空調システムに関する。
【背景技術】
【０００２】
近年、一つの熱源で建物内の複数の空間を空調するいわゆる全館空調システムが提案されている（例えば、下記特許文献１参照）。
【先行技術文献】
【特許文献】
【０００３】
【特許文献１】特開平７−１９０４１４号公報
【発明の概要】
【発明が解決しようとする課題】
【０００４】
上記全館空調システムでは、建物内の各空間には、一つの空気吹出口が設けられており、そこから、熱源である集中空調ユニットで調節された空気が供給される。
【０００５】
しかしながら、例えば、冬期において、一つの空間内に、寒がりのユーザーや体が冷えきったユーザーと、それ以外のユーザーが混在しているような状況が生じうる。このような場合、一つの空間の中で、異なる温度に調節された空気が異なる位置から吹き出されれば、非常に使い勝手が良い。また、夏期において、一つの空間内に、暑がりのユーザーや体が火照ったユーザーと、それ以外のユーザーが混在しているような状況でも、異なる温度に調節された空気が異なる位置から吹き出されれば、非常に使い勝手が良い。
【０００６】
本発明は、以上のような問題点に鑑み案出なされたもので、少なくとも一つの空間に、第１吹出口と、第２吹出口とを設け、それぞれから異なる温度の空気を吹き出させることを基本として、使い勝手を大幅に向上しうる空調システムを提供することを主たる課題としている。
【課題を解決するための手段】
【０００７】
本発明の第１の態様は、少なくとも１台の空気調和機を用いた一つの熱源で、建物内の複数の空間を空調するための空調システムであって、前記空間のうちの少なくとも一つの空間には、第１吹出口と第２吹出口とが少なくとも設けられており、前記第１吹出口には、前記熱源で空調された空気に外気を混合させた換気・空調空気を前記空間側へ送る第１流路が接続されており、前記第２吹出口には、前記熱源で空調された空気を、外気と混合させることなく、前記空間側に送る第２流路が接続されており、前記空気調和機は、前記空間の空気が供給される吸気部と、前記空調された空気を排気する排気部とを含み、前記吸気部と前記排気部との間を連通、又は、遮断可能な遮蔽部を有することを特徴とする。
【０００８】
本発明の第２の態様は、少なくとも１台の空気調和機を用いた一つの熱源で、建物内の複数の空間を空調するための空調システムであって、前記空間のうちの少なくとも一つの空間には、第１吹出口と第２吹出口とが少なくとも設けられており、前記第１吹出口には、前記熱源で空調された空気に外気を混合させた換気・空調空気を前記空間側へ送る第１流路が接続されており、前記第２吹出口には、前記熱源で空調された空気に、前記第１流路よりも小さい割合で外気を混合した換気・空調空気を前記空間側に送る第２流路が接続されており、前記空気調和機は、前記空間の空気が供給される吸気部と、前記空調された空気を排気する排気部とを含み、前記吸気部と前記排気部との間を連通、又は、遮断可能な遮蔽部を有することを特徴とする。
【０００９】
本発明の他の態様では、前記第１流路は、第１チャンバーと、前記第１チャンバーと前記第１吹出口との間を連通する第１ダクトとを含むことができ、前記第１チャンバーは、前記熱源で空調された空気を導入するための第１空調空気導入口と、前記外気を導入するための第１外気導入口と、前記第１チャンバー内で混合された前記換気・空調空気を排出するための第１排出口とを有しても良い。
【００１０】
本発明の他の態様では、前記第１流路は、前記第１チャンバーの上流側に、前記空気調和機が収納されているメインチャンバーを含むことができ、前記メインチャンバーは、前記空気調和機に前記空間のいずれかの室内空気を供給するための内気導入口と、前記空気調和機で調節された空気を前記第１チャンバーの前記第１空調空気導入口へと供給する排気口とを有しても良い。
【００１１】
本発明の他の態様では、前記メインチャンバーの前記排気口と、前記第１チャンバーの前記第１空調空気導入口との間には、前記第１チャンバーと前記メインチャンバーとを連通又は遮断するための開閉装置が設けられて良い。
【００１２】
本発明の他の態様では、前記第２流路は、第２チャンバーと、前記第２チャンバーと前記第２吹出口との間を連通する第２ダクトとを含むことができ、前記第２チャンバーは、前記熱源で空調された空気を内部に導入するための第２空調空気導入口と、前記第２チャンバー内に導入された空調空気を排出するための第２排出口とを有しても良い。
【００１３】
本発明の他の態様では、前記第２流路は、第２チャンバーと、前記第２チャンバーと前記第２吹出口との間を連通する第２ダクトとを含むことができ、前記第２チャンバーは、前記熱源で空調された空気を内部に導入するための第２空調空気導入口と、前記外気を導入するための第２外気導入口と、前記第２チャンバー内で混合された換気・空調空気を排出するための第２排出口とを有しても良い。
【発明の効果】
【００１４】
本発明は、少なくとも１台の空気調和機を含む一つの熱源で、建物内の複数の空間を空調するための空調システムであって、前記空間のうちの少なくとも一つの空間には、第１吹出口と第２吹出口とが少なくとも設けられている。前記第１吹出口には、前記熱源で空調された空気に、外気を混合させた換気・空調空気を前記空間側に送る第１流路が接続されている。一方、前記第２吹出口には、前記熱源で空調された空気を、外気と混合させることなく、前記空間側に送る第２流路が接続されている。
【００１５】
以上のような本発明の空調システムによれば、第１吹出口からは、外気と混合した換気・空調空気が吹き出される。これにより、各空間の換気と空調とが同時に行われる。一方、本発明の空調システムによれば、第２吹出口からは、外気と混合されていない純粋な空調空気が吹き出される。これにより、第２吹出口が設けられた空間では、ユーザーは、第２吹出口から、より空調効果の高い空気、即ち、夏期の冷房空調時では第１吹出口のそれよりも低温であり、冬期の暖房空調時では第１吹出口のそれよりも高温の空気を吹き出すことができる。
【００１６】
従って、例えば、冬期において、一つの空間内に、寒がりのユーザーや体が冷えきったユーザーと、それ以外のユーザーが混在しているような状況では、寒がりのユーザーや体が冷えきったユーザーが第２吹出口の近傍の空間を、それ以外のユーザーは第１吹出口の近傍の空間をそれぞれ利用することにより、全てのユーザーに快適な空調環境が提供され得る。
【００１７】
同様に、例えば、夏期において、一つの空間内に、暑がりのユーザーや体が火照ったユーザーと、それ以外のユーザーが混在しているような状況では、暑がりのユーザーや体が火照ったユーザーが第２吹出口の近傍の空間を、それ以外のユーザーは第１吹出口の近傍の空間をそれぞれ利用することにより、全てのユーザーに快適な空調環境が提供され得る。
【００１８】
以上のように、本発明の空調システムによれば、一つの熱源の利用であるにも関わらず、少なくとも一つの空間において、第１吹出口及び第２吹出口からそれぞれ異なる温度の空気を吹き出させることができ、ユーザーの利便性を高めることができる。
【図面の簡単な説明】
【００１９】
【図１】本発明の一実施形態の空調システムを説明するための建物の概略断面図である。
【図２】図１のメインチャンバー、第１チャンバー及び第２チャンバーの拡大断面図である。
【発明を実施するための形態】
【００２０】
以下、本発明の実施の一形態が図面に基づき説明される。
図１には、本発明の一実施形態の空調システム１が適用された建物２の断面図が概念的に示されている。図１に示されるように、本実施形態では、建物２として、住宅Ｈが示されている。空調効果を高めるために、住宅Ｈは、優れた断熱性能、遮光性能及び気密性能を具えた工業化住宅として実施されるのが望ましい。
【００２１】
本実施形態の住宅Ｈは、床下空間３と、床上空間４とを具えている。
【００２２】
床下空間３は、基礎５と地面６と床７とで囲まれた非居住空間である。床下空間３の地面６は、例えば、土間コンクリート等で仕上げられているのが望ましい。基礎５には、基礎給気口５Ａが設けられている。基礎給気口５Ａは、基礎５の立ち上がり部に設けられた一つの開口であり、この基礎給気口５Ａを介して、新鮮な外気が床下空間３に取り込まれる。床下空間３に積極的に外気を導入するために、基礎給気ファン５Ｂが、例えば、基礎給気口５Ａの近傍に設けられても良い。
【００２３】
床下空間３に供給された外気は、例えば、床下空間３の地面６を介して、地冷熱と熱交換する。これにより、床下空間３の空気は、例えば、夏期では外気よりも低く、冬期では外気よりも高い温度を有する。床下空間の温度をより安定させるために、基礎５は、発泡樹脂等の断熱材により、外気から断熱されていることが望ましい（図示省略）。
【００２４】
床上空間４は、床下空間３の上方に設けられた空間であり、本実施形態では、複数の居住用の空間４Ａ、４Ｂ及び４Ｃを含んでいる。空間４Ａ、４Ｂ及び４Ｃの間取りなどは、あくまで一つの形態であり、これらの形状等に限定されるものではない。
【００２５】
本実施形態の空調システム１は、一つの熱源Ｓで住宅Ｈ内の複数の空間４Ａ、４Ｂ及び４Ｃを空調することができる。本実施形態の熱源Ｓは、１台の空気調和機（エアコン）８で構成されている。一つの熱源Ｓを構成するために、複数の空気調和機８が用いられても良い。この場合、複数の空気調和機８で得られる熱エネルギーは、例えば、チャンバーやダクト等の手段によって実質的に集約されて利用されることで、一つの熱源を構成する。
【００２６】
本実施形態の空調システム１を得るために、本実施形態では、各空間４Ａ乃至４Ｃには、それぞれ、第１吹出口９が設けられている。また、複数の空間４Ａ乃至４Ｃのうちの少なくとも一つの空間（本実施形態では、空間４Ａ）には、第１吹出口９に加えて、第２吹出口１０が少なくとも設けられている。そして、第１吹出口９からは、空調された空気と外気とが混合された換気・空調空気が吹き出される一方、第２吹出口１０からは、外気と混合されていない空調空気を吹き出すことができる。以下、空調システム１の具体的な概要が説明される。
【００２７】
先ず、各空間４Ａ、４Ｂ、４Ｃには、第１吹出口９がそれぞれ設けられている。各空間４Ａ、４Ｂ及び４Ｃにおいて、第１吹出口９の設置個数などは、特に限定されるものではなく、２以上設けられても良い。さらに、本実施形態では、各空間４Ａ、４Ｂ、４Ｃの天井に、第１吹出口９が設けられているが、取り付け位置も、例示の態様に限定されるものではない。
【００２８】
第１吹出口９には、第１流路１１が接続されている。第１流路１１は、熱源Ｓとしての空気調和機８（以下、単に、空気調和機８と称する。）で空調された空気に、外気を混合させた換気・空調空気を空間４Ａ、４Ｂ及び４Ｃ側に送ることができる流路である。本実施形態の第１流路１１は、例えば、メインチャンバー１３、第１チャンバー１４、及び、第１ダクト１５を含んで構成されている。第１流路１１の下流側は、複数の流路に分岐しており、各々は空間４Ａ、４Ｂ又は４Ｃの第１吹出口９へと連通している。
【００２９】
図２には、第１流路１１の一部を構成するメインチャンバー１３の拡大図が示されている。図２に示されるように、本実施形態のメインチャンバー１３は、内部に空間を有する略箱体状であり、例えば、床下空間３に配置されている。
【００３０】
メインチャンバー１３には、空気調和機８が収納されている。本実施形態の空気調和機８は、例えば、一般的な家庭用のセパレート型エアコンであり、その室内機がメインチャンバー１３に配置されている。室外機（図示省略）は、例えば、建物２の外部に設置されている。例えば、一つの熱源Ｓを構成するために複数台の空気調和機８が用いられる場合、全ての空気調和機８は、このメインチャンバー１３内に収納されるのが望ましい。
【００３１】
空気調和機８は、空気を吸い込む吸気部８ａと、内部で冷媒と熱交換された空気を排気する排気部８ｂとを有している。従って、空気調和機８を運転することにより、メインチャンバー１３には、所望の温度に調節された空気で満たされる。メインチャンバー１３内の空気の熱の散逸を防ぐために、メインチャンバー１３の少なくとも一部は、断熱材２２で被覆されているのが望ましい。
【００３２】
メインチャンバー１３は、上壁部２０を有する。好ましい態様では、上壁部２０は、床７に設けられた開口部７ａから床上空間４に露出している。即ち、メインチャンバー１３の上壁部２０は、床７の一部を構成することができる。また、上壁部２０の少なくとも一部は、脱着自在な蓋部２１として形成されているのが望ましい。この場合、蓋部２１を取り外すことにより、メインチャンバー１３内に収容されている空気調和機８の点検やメンテンナンスが床上空間４側から容易に行える利点がある。
【００３３】
メインチャンバー１３は、さらに、空気調和機８に、空間４Ａ乃至４Ｃのいずれかの室内空気を供給するための内気導入口２３と、空気調和機８で調節された空気を排出するための排気口２４とを有している。
【００３４】
内気導入口２３は、メインチャンバー１３の上壁部２０に、例えば、吸い込みグリルとして設けられている。これにより、本実施形態では、空間４Ａの空気が、内気導入口２３を介して、メインチャンバー１３の空気調和機８の吸気部８ａへと供給される。メインチャンバー１３内での空気調和機８のいわゆるショートサーキットを防止するために、床上空間４の空気と、空気調和機８の排気部８ｂから吹き出される空調された空気との混合を防止するための遮蔽部２５がさらに設けられても良い。この遮蔽部２５は、例えば、動作制御可能なダンパーからなり、空気調和機８の吸気部８ａと排気部８ｂとの間を遮断する遮断位置と、吸気部８ａと排気部８ｂとを連通させる連通位置とに切換え可能に構成されている。
【００３５】
メインチャンバー１３の排気口２４は、例えば、第１排気口２４ａと、第２排気口２４ｂとを含んでいる。これらは、それぞれ離れて設けられている。第１流路１１では、第１排気口２４ａが利用される。第２排気口２４ｂについては、後述する。
【００３６】
第１チャンバー１４は、メインチャンバー１３の下流側に設けられている。本実施形態の第１チャンバー１４は、内部に空間を区画する略箱体状であり、床下空間３に配置されている。
【００３７】
第１チャンバー１４は、第１空調空気導入口２７と、第１外気導入口２８と、第１排出口２９とを有する。
【００３８】
第１空調空気導入口２７は、メインチャンバー１３内の空気を第１チャンバー１４内に導入するための開口である。本実施形態では、第１空調空気導入口２７は、メインチャンバー１３の第１排気口２４ａと連通する位置に設けられている。これにより、第１チャンバー１４内には、空気調和機８で空調されたメインチャンバー１３内の空気が供給される。
【００３９】
第１外気導入口２８は、外気として、床下空間３の空気を第１チャンバー１４内に導入するための開口である。従って、第１チャンバー１４内には、第１外気導入口２８から床下空間３の空気（即ち、地冷熱と熱交換された外気）も導入される。これにより、第１チャンバー１４内には、外気と、空気調和機８によって空調された空気とが混合された換気・空調空気が得られる。第１チャンバー１４内の空気の外部への熱の散逸を防止するために、第１チャンバー１４の少なくとも一部は、断熱材２２で覆われているのが望ましい。
【００４０】
この例では、第１外気導入口２８には、第１開閉部３２が設けられている。第１開閉部３２は、例えば、電気制御可能なダンパーであって、第１外気導入口２８の有効開口面積を変化させることができる。これにより、第１チャンバー１４内に導入される外気の量が調節され、ひいては、換気・空調空気中の外気の混合割合を調節することができる。
【００４１】
第１排出口２９は、第１チャンバー１４内で混合された換気・空調空気を、外部に排出するための開口である。この第１排出口２９には、第１ダクト１５が連通している。
【００４２】
図１及び図２に示されるように、第１ダクト１５の一端１５ｉは、第１チャンバー１４の第１排出口２９に接続されている。また、第１ダクト１５の他端１５ｏは、床上の各空間４Ａ、４Ｂ及び４Ｃに設けられた第１吹出口９に接続されている。好ましい態様では、各第１吹出口９に、各吹出口の有効開口面積を変化させることで、通過する風量を調節可能なダンパー１９が設けられている。
【００４３】
さらに、本実施形態では、第１ダクト１５の途中に、空気浄化装置３３と、第１ダクト１５内の空気を空間４Ａ、４Ｂ及び４Ｃ側に送るための給気用の第１ファン３４とが設けられている。これらの空気浄化装置３３及び第１ファン３４は、いずれも、床下空間３に配置されている。これにより、床上空間４のスペースの有効活用が可能になる。
【００４４】
空気浄化装置３３は、例えば、第１ファン３４の上流側に設けられている。空気浄化装置３３は、第１ダクト１５内を通過する空気から花粉、微粒子状物質及び塵埃等を除去するフィルタを具えているものが望ましい。
【００４５】
第１ファン３４は、第１ダクト１５の一端１５ｉから他端１５ｏに向かう強制的な空気の流れを生成する。
【００４６】
以上のように構成された第１流路１１によれば、複数の空間４Ａ乃至４Ｃを換気しながら空調することができる。例えば、空気調和機８を、冷房空調運転又は暖房空調運転させるとともに、第１ファン３４を運転することにより、第１チャンバー１４内の換気・空調空気は、空気浄化装置３３で清浄化され、第１ダクト１５により、各第１吹出口９から各空間４Ａ、４Ｂ及び４Ｃへと吹き出される。これにより、空間４Ａ、４Ｂ及び４Ｃは、それぞれ換気と空調とが同時に行われる。これと平行して、供給された外気の量に応じて、例えば、床上空間４の空気は、床上空間４に設けられた排気用のファン５０によって屋外へと排出される。
【００４７】
また、床下空間３の空気は、それ以外の外気に比べて、夏は低温であり、冬は高温である。従って、第１チャンバー１４の換気・空調空気の外気として、床下空間３の空気を利用することで、空調空気の温度変化を最小限に抑えることができる。
【００４８】
好ましい態様として、図２に示されるように、メインチャンバー１３の第１排気口２４ａと、第１チャンバー１４の第１空調空気導入口２７との間に、開閉装置３０が設けられても良い。
【００４９】
開閉装置３０は、第１チャンバー１４とメインチャンバー１３とを、相互に連通する状態又は遮断された状態のいずれかに切り替えることができる。開閉装置３０は、例えば、電気制御によって作動するダンパー等が好適に用いられ、図示しない制御装置等によって、その動作位置が切り替えられる。
【００５０】
開閉装置３０は、常時は開いた状態とされる。この場合、第１チャンバー１４とメインチャンバー１３とは、相互に連通し、上述のように、複数の空間４Ａ乃至４Ｃを換気しながら空調することができる。
【００５１】
一方、例えば、強い換気が必要な場合には、開閉装置３０が遮断位置に切換えられ得る。この場合、第１チャンバー１４とメインチャンバー１３とは、切り離され、第１チャンバー１４には、第１外気導入口２８から外気のみが供給される。従って、各空間４Ａ乃至４Ｃにも外気のみが供給され、換気効率をさらに高めるのに役立つ。
【００５２】
また、床下空間３で地面６と熱交換した空気の温度は、上述の通り、夏期では外気よりも低く、冬期では外気よりも高い。従って、空気調和機８を積極的に使用するまでもない夏期又は冬期の初期段階では、床下空間３の空気を活用することで、空気調和機８を使用することなく床上空間４の温度調節（少し冷やす又は少し暖める）ことが可能になる。これは、空調コストを低減するのに役立つ。
【００５３】
さらに、本実施形態では、空気調和機８を停止させ、かつ、遮蔽部２５を開放することにより、床上空間４（空間４Ａ）の空気の一部を、メインチャンバー１３を経由して第１チャンバー１４に供給することができる。この場合、空間４Ａの空気を、循環させながら、空気浄化装置３３で清浄化することもできる。
【００５４】
次に、本実施形態では、図１に示されるように、第２吹出口１０が空間４Ａに設けられている。従って、空間４Ａには、第１吹出口９及び第２吹出口１０が設けられている。これらの第１吹出口９と第２吹出口１０とは、互いに離れた位置に設けられるのが望ましい。本実施形態では、空間４Ａの天井に、第２吹出口１０が設けられているが、このような位置に限定されるものではない。また、他の空間４Ｂ及び４Ｃに、第２吹出口１０が設けられても良い。
【００５５】
第２吹出口１０には、第２流路１２が接続されている。この実施形態において、第２流路１２は、空気調和機８で空調された空気を、外気と実質的に混合させることなく空間側へと送ることができる。従って、第２吹出口１０からは、第１吹出口９に比べて、より空調効果の高い空気を吹き出すことができる。
【００５６】
本実施形態の第２流路１２は、例えば、メインチャンバー１３、第２チャンバー１６、及び、第２ダクト１７を含んで構成されている。メインチャンバー１３については、先の説明の通りである。
【００５７】
図２に示されるように、第２チャンバー１６は、メインチャンバー１３の下流側に設けられている。本実施形態の第２チャンバー１６は、第１チャンバー１４とほぼ同様の構造であって、内部に空間を区画する略箱体状であり、床下空間３に配置されている。
【００５８】
本実施形態の第２チャンバー１６は、第２空調空気導入口３５と、第２排出口３７とを有する。
【００５９】
第２空調空気導入口３５は、メインチャンバー１３内の空気調和機８で空調された空気を第２チャンバー１６内に導入するための開口である。本実施形態では、第２空調空気導入口３５は、メインチャンバー１３の第２排気口２４ｂと連通する位置に設けられている。これにより、第２チャンバー１６内にも、空気調和機８で空調されたメインチャンバー１３内の空気が供給される。第２チャンバー１６内の空気の外部への熱の散逸を防止するために、第２チャンバー１６の少なくとも一部が、断熱材２２で覆われているのが望ましい。
【００６０】
第２排出口３７は、第２チャンバー１６内の空調空気を、外部に排出するための開口である。この第２排出口３７には、第２ダクト１７が連通している。
【００６１】
図１及び図２に示されるように、第２ダクト１７の一端１７ｉは、第２チャンバー１６の第２排出口３７に接続されている。また、第２ダクト１７の他端１７ｏは、空間４Ａに設けられた第２吹出口１０に接続されている。好ましい態様では、第２吹出口１０にも、その有効開口面積を変化させることで、通過する風量を調節可能なダンパー１９が設けられている。さらに、本実施形態では、第２ダクト１７の途中に、前述の空気浄化装置３３と、空気を空間４Ａ側に送るための給気用の第２ファン３６とが設けられている。
【００６２】
以上のように構成された第２流路１２によれば、空気調和機８を運転させるとともに、第２ファン３６を運転することにより、空気調和機８で空調された空気を、外気と混合させることなく、第２ダクト１７を経由して、第２吹出口１０から空間４Ａに吹き出すことができる。第２吹出口１０から吹き出される空気は、外気と混合されていないので、第１吹出口９から吹き出される空気に比べて、ユーザーに対して、より高い空調効果を提供することができる。例えば、夏期の冷房空調時では、第２吹出口１０から吹き出される空気は、第１吹出口９から吹き出される空気よりも低い温度に調節され得る。同様に、冬期の暖房空調時では、第２吹出口１０から吹き出される空気は、第１吹出口９から吹き出される空気よりも高い温度に調節され得る。
【００６３】
従って、例えば、冬期において、空間４Ａに、寒がりのユーザーや体が冷えきったユーザーと、それ以外のユーザーが混在しているような状況では、寒がりのユーザーや体が冷えきったユーザーは、第２吹出口１０の近傍の空間を利用することで、相対的に高い空調（暖房空調）効果を享受することができる。一方、それ以外のユーザーは、第１吹出口９の近傍の空間を利用することで、相対的に低い又は標準的な空調効果を享受することができる。
【００６４】
同様に、例えば、夏期においては、空間４Ａ内に、暑がりのユーザーや体が火照ったユーザーと、それ以外のユーザーが混在しているような状況では、暑がりのユーザーや体が火照ったユーザーが第２吹出口１０の近傍の空間を利用することで、相対的に高い空調（冷房空調）効果を享受することができる。一方、それ以外のユーザーは、第１吹出口９の近傍の空間を利用することで、相対的に低い又は標準的な空調効果を享受することができる。
【００６５】
このように、本実施形態の空調システム１は、全てのユーザーに快適な空調環境を提供することができる。
【００６６】
上記実施形態では、第２流路１２が、空気調和機８で空調された空気を、外気と混合させることなく、直接、第２吹出口１０へ送る例を示したが、本発明は、このような態様に限定されるものではない。例えば、第２流路１２は、空気調和機８で空調された空気に、第１流路１１よりも小さい割合で外気を混合した換気・空調空気を空間４Ａ側に送るように構成されても良い。このような態様によれば、上述の効果を維持しながら、空間４Ａの換気効率をさらに高めることができる。
【００６７】
上述の機能を実現させるために、図２に示されるように、第２チャンバー１６には、例えば、第２外気導入口３８が設けられるのが望ましい。第２外気導入口３８は、必要に応じて、外気を第２チャンバー１６内に導入することができる開口である。この第２外気導入口３８は、第２開閉部３９によって、開閉される。第２開閉部３９は、例えば、電気制御可能なダンパーであって、第２外気導入口３８の有効開口面積を変化させることができる。本実施形態の第２開閉部３９は、第２流路１２内を流れる空気の外気混合割合が、第１流路１１内を流れる空気の外気混合割合よりも小さくなるように、その開閉位置が調節される。
【００６８】
図示していないが、本実施形態の空調システム１には、例えば、各空間４Ａ乃至４Ｃに人感センサーや温度センサーが設けられても良い。そして、これらのセンサーの検知信号に基づいて、各空間のダンパー１９の風量を個別に調節することもできる。
【００６９】
以上本発明の一実施形態が詳細に説明されたが、本発明は、上記の実施形態に限定されることなく、種々の態様に変形して実施され得る。
【符号の説明】
【００７０】
１  空調システム
２  建物
３  床下空間
４  床上空間
４Ａ、４Ｂ、４Ｃ  空間
９  第１吹出口
１０  第２吹出口
１１  第１流路
１２  第２流路
１３  メインチャンバー
１４  第１チャンバー
１５  第１ダクト
１６  第２チャンバー
１７  第２ダクト
２３  内気導入口
２４ａ  第１排気口
２４ｂ  第２排気口
２７  第１空調空気導入口
２８  第１外気導入口
２９  第１排出口
３０  開閉装置
３５  第２空調空気導入口
３７  第２排出口
３８  第２外気導入口
Ｓ  熱源
【図１】
0006434842.tif 000002
【図２】
0006434842.tif 000003